Podtech/llm-jp-corpus-v4-ja_patent huggingface dataset:
(57)【要約】      （修正有）【課題】高台を有する椀において、食事中に外部に流出した汁等が、高台と卓の境界部に付着して、高台壁内側凹部と外気との気圧差により、椀が卓に張り付く現象が時々起こる。この状況を知らずに椀を持ち上げようとして手が滑り、椀を倒し汁等が周辺にこぼれたり、高温の汁等が手や衣類に付着することで火傷等の事故を被ることがあった。ついては食事の効率、会食の雰囲気の保持および事故防止の点で問題があるため、食事中に椀が卓に張り付かない形状の椀を提供する。【解決手段】椀１の高台壁の高さの中間付近に、椀の外部空間から高台壁内側凹部空間に至る空気の流通路として小孔６を一箇所あけ、両空間における気圧を均衡させる。【選択図】図１
0003196520.tif 000002
【実用新案登録請求の範囲】
【請求項１】
椀の底部に高台を有する椀において、当該椀の高台の高さの中間付近に小孔を設けることにより、外部空間から高台壁内側凹部空間に至る空気の流通路があることを特徴とする椀。
【考案の詳細な説明】
【考案の詳細な説明】
【技術分野】
【０００１】本考案は、高台を有する椀の改良に関する。
【背景技術】
【０００２】日本人の食習慣において、和食における汁物等は、椀に入れて膳や卓に供されるのが一般的である。通常、椀の底部には高台といわれる台座が付いている。【０００３】高台とは、椀を卓上に置いたときその安定性を保つことにより、全ての方向に等しく椀が倒れにくいこと、そして汁物等、椀の内容物が卓への熱伝導により急激に温度低下することの防止を目的として、壁の内側に凹状の空間を設けている。また高台は椀底に付着しており、土鍋台のように脚部のみの独立および分離はできない。さらにこたつ台にみられる猫脚、あるいは陶磁器の台座にみられる鼎脚等、複数脚の台とは形状が異なるものである。椀における従前の高台は、円柱状の壁を有し、壁内部の空間は凹状となる形状を有する。
【考案が解決しようとする課題】
【０００４】従来の椀は、椀内の汁物等を食す途中で外部に流出した汁等が、椀を卓上に置くときに高台と卓の境界部にこぼれて付着し水膜となる。そしてその水膜が、高台と卓の境界部の間隙を閉塞することにより、高台壁内側凹部と外気とを遮断する。そのため椀内に残る汁等の高温により暖まった高台壁内側凹部空間は、外気との気圧差を生じ、椀が卓に張り付く現象が起こる。実際に椀が卓に張り付いていることを知らずに椀を持ち上げようとすると、手が滑って椀を倒し汁等が周辺にこぼれたり、手や衣類に付着することで火傷を被るという事故が時折発生するため、食事の効率、会食における良質な雰囲気の保持および事故防止という点で問題がみとめられる。
【０００５】本考案は汁物等を提供する高台付き椀において、上述の課題を解決するための手段を提供することを目的とする。
【課題を解決するための手段】
【０００６】    概要
▲１▼
以上の課題を解決するために、本考案は高台壁部に空気の流通路が存在することを特徴とした椀を要旨とする。以下項に分けて本考案を構成する要素等を解説する。
【０００７】    椀
▲２▼
本考案における椀とは合成樹脂により成形された椀、あるいは木製の漆器椀をいう。
【０００８】    空気の流通路
▲３▼
本考案において空気の流通路は、高台壁部に小孔をあけることにより設ける。孔の直径は１．０ｍｍ程度のものが、高台壁の高さの中間付近に１個存在することにより満足する。また孔の直径や位置を決めることにより、工作の簡易性、高台の物理的強度の保持、および孔の存在を目立たなくする等の観点から生産的合理性が期待できる。
【作用】
【０００９】本考案に関する椀においては、こぼれた汁等により高台と卓の間隙が閉塞されたときでも、外気と高台壁内側凹部空間で空気の流通が行われるため、両空間に気圧差は生じず、食事中に椀と卓が張り付く現象はみられない。
【実施例】
【００１０】以下、実施例により考案を実施した状況を説明する。【００１１】    実施例
図１は本考案の例として高台壁の高さの中間付近に小孔を一つあけた椀の縦断面図を示す。【００１２】全体（１）は、木製漆器による椀で構成される。底部の高台（２）の高さの中間付近には空気が流通する１個の小孔（６）が設けられ、高台壁内側凹部空間（３）には、この小孔が流通路となり外気が流入することで外気との気圧が均衡する。従って椀から溢れた汁等の水分により、高台と卓（４）における間隙（５）が閉塞されたとしても、両空間の圧力差は生じず、両空間の圧力差により椀が卓に張り付く現象を防止し得る。【００１３】なお、小孔（６）と高台壁内側凹部空間（３）に至る流通路については、本考案の例として示した椀の横断面図となる図２（６）に示す。
【図面の簡単な説明】
【００１４】
【図１】本案における椀の一例となる縦断面図である。
【図２】本案における椀の一例となる横断面図である。
【符号の説明】
【００１５】  （１）椀
（２）高台
（３）高台壁内側凹部空間
（４）椀が置かれる卓
（５）高台と卓の間隙
（６）小孔
【考案の効果】
【００１６】以上解説したとおり、本考案は簡単な工夫と作業により従来の椀がもつ食事中の問題の一つを解決したものであり、人々の実生活に有用な効果を与える可能性がある。
【図１】
0003196520.tif 000003
【図２】
0003196520.tif 000004
(57)【要約】      （修正有）【課題】作業効率の促進と、作業者の安全作業の確保と肉体的疲労の軽減を図った前傾回転切削装置を提供する。【解決手段】本体の原動部１によって回転する駆動軸を設け、この駆動軸に下部外周部位に複数個の切削具４を配設した回転体を設け、回転体を被切削部材に前傾で使用するためのカバー装置３を本体に取り付けたことを特徴とする。また、本体に取り付けられた複数個の切削具を配設した回転体は、水平使用時には被切削部材に接触せず、前傾に使用することで回転体切削具の先端から被切削部材に接触して切削していくため先端中心部分を深く両端部は浅く切削していく。本体に取り付けられたカバー装置は、回転体後方部分の切削具を覆うようになっており作業者への被切削部材の飛散防止や回転体切削具の破損の場合の飛散防止安全カバーとしての役割をする。【選択図】図１
0003196513.tif 000002
【実用新案登録請求の範囲】
【請求項１】
本体の原動部によって回転する駆動軸を設ける。この駆動軸に下部外周部位に複数個の切削具を配設した回転体をもうけ、回転体を被切削部材に前傾で使用するためのカバー装置を本体に取り付けたことを特徴とする、前傾回転切削装置である。
【請求項２】
前記本体に取り付けられた複数個の切削具を配設した回転体は、水平使用時には被切削部材に接触せず、前傾に使用することで回転体切削具の先端から被切削部材に接触して切削していくため先端中心部分を深く両端部は浅く切削していくことを特徴とする請求項１に記載の前傾回転切削装置。
【請求項３】
前記本体に取り付けられたカバー装置は、回転体後方部分の切削具を覆うようになっており作業者への被切削部材の飛散防止や回転体切削具の破損の場合の飛散防止安全カバーとしての役割を特徴とする請求項１に記載の前傾回転切削装置。
【請求項４】
前記本体に設けられたカバー装置は、両側下部に支点部分を設け、前記回転体が被切削部材に任意の前傾角度と加重の強弱をつけて使用できることを特徴とする、請求項１に記載の前傾回転切削装置。
【考案の詳細な説明】
【技術分野】
【０００１】  本考案は、切削作業の省力化と高効率、切削作業者の安全と肉体的負担軽減をする装置に関する。
【背景の技術】
【０００２】  建築構造物の改修工事において、被切削物の対象であるコンクリート床面塗膜や外壁塗膜面等の表面切削作業にはハンドタイプの電動工具が主に使用されている。
【考案が解決しようとする課題】
【０００３】  時代の推移で建築構造物の高層化と多様性が年々増加していく中で、改修工事に伴う作業周辺環境、作業現場環境、作業者環境も益々厳しいものになっている。
１．作業周辺環境は近隣に対しての騒音や粉塵飛散の問題  ２．作業現場環境では作業場所の安全問題や電源の確保等  ３．作業者環境に於いては安全作業を前提に作業の効率化と肉体的な軽減を維持する事。１．２．に関しては施工業者を中心に安全作業対策が徹底されているが、３．の作業者環境に於いては、使用機械の種類や作業経験の差が大いに影響している。したがって現在使用されている電動回転機械（グラインダー）を基本に作業効率の大幅向上と、作業者の安全確保と肉体的軽減を図る。
【０００４】  この考案は、本体原動部の駆動軸に取り付ける回転体を従来は被切削部材に水平にあてて使用していたが、被切削部材の種類や厚みや強度に左右されやすく、作業経験の差が如実に作業効率に反映していたが、前傾使用することで回転体の３０パーセント位しか被切削部材に接触しないため、省電力での作業と切削抵抗が少なく操作性を良くする事を特徴とする。
【０００５】  この考案は、回転体の切削具が前傾でするときに被切削部材を最も平滑に切削していくために、回転体に角度をつけて切削具を取り付けていること特徴とする。
【０００６】  この考案は、従来は塗膜処理をした後に切削具の傷痕が残っていたが、前傾使用するために中心部分は深く、厚く、両端部分は浅く、薄く前傾の押さえ加減が任意に出来るため、回転痕や切削痕が非常にできにくいことを特徴とする。
【０００７】  この考案は、本体に設けられたカバー装置は、従来の粉塵飛散と集塵のためだけではなく、作業者の安全と保護を目的とした安全カバーの役割をしていることを特徴とする。
【考案を実施するための形態】
【０００８】  本考案の前傾回転切削装置は、回転体切削具と、カバー部材を、組み合わせることにより、切削抵抗の少ない切削作業と作業者の安全効果を同時に行うことができ、また簡便な装置で低負荷の操作性と作業性の効率を図る。
【実施例１】
【００１０】  以下、本考案の前傾回転切削装置の実施例を添付した図１〜図４にしたがって説明する。
図１、は本体原動部▲１▼の駆動軸▲２▼に本考案のカバー装置▲３▼と回転体切削具▲４▼を取り付けた左側面図である。
図２、は回転体切削具▲４▼の正面図である。
図３、は本体原動部▲１▼の駆動軸▲２▼に回転体切削具▲４▼を取り付けた正面図である。
図４、はカバー装置▲３▼の左側面図である。
【考案の効果】
【００１１】  以上説明をしてきた通り、本考案の前傾回転切削装置は、被切削部材の条件に左右されることなく、省電力でありながら切削時の操作性や切削能力、作業者への安全対策作をとりながら、作業効率や仕上がりの満足に多いに貢献寄与できる。
【図面の簡単な説明】
【００１２】
【図１】は本体原動部▲１▼の駆動軸▲２▼に本考案のカバー装置▲３▼と回転体切削具▲４▼を取り付けた左側面図である。
【図２】は回転体切削具▲４▼の正面図である。
【図３】は本体原動部▲１▼の駆動軸▲２▼に回転体切削具▲４▼を取り付けた正面図である。
【図４】はカバー装置▲３▼の左側面図である。
【符号の説明】▲１▼  本体原動部
▲２▼  駆動軸
▲３▼  カバー装置
▲４▼  回転体切削具
▲５▼  カバー装置支点部
▲６▼  サイドハンドル
▲７▼  集塵ホース取り付け口
▲８▼  本体原動部取り付け部
【図１】
0003196513.tif 000003
【図２】
0003196513.tif 000004
【図３】
0003196513.tif 000005
【図４】
0003196513.tif 000006
(57)【要約】      （修正有）【課題】字を組み合わせて行く事で、お年寄りには脳の記憶を呼び起こす事に一役買う事が出来、また、小さな子供には言葉の遊びとして、楽しみながら学習が出来るひらがな言葉学習用玩具を提供する。【解決手段】合計４８種類のひらがな字１と記号２、３、４を、麻雀牌と同じ素材・器具を使い牌の白い部分に刻印し、この牌を各３枚ずつ、合計１４４枚の牌を作成し、それらの組み合わせにより言葉を作り、ゲームをする感覚で楽しみながら出来ることを特徴とする。【選択図】図１
0003196588.tif 000002
【実用新案登録請求の範囲】
【請求項１】
あいうえお、かきくけこ、さしすせそ、たちつてと、なにぬねの、はひふへほ、まみむめも、やゆよ、らりるれろ、わ、ん、まで４５枚の字。゛（濁点）゜（半濁点）−（伸ばす印）の３枚の記号。合計４８種類の字と記号を、麻雀牌と同じ素材・器具を使い牌の白い部分に刻印する。この牌を各３枚ずつ作成し、合計１４４枚の牌を作成する。
【考案の詳細な説明】
【技術分野】
【０００１】本考案は、認知症等の人などが簡単に楽しく出来るゲームとして、脳に活性化を与える事が出来る一つの作用となる。また、小さな子供でも楽しめる事が出来るゲームである。
【背景技術】
【０００２】麻雀牌を利用したゲームだが、麻雀のように複雑ではなく、言葉で構成されており、簡単にゲームが出来る事で脳に対して良い刺激を与える事が出来る。
【先行技術文献】
【特許文献】
【０００３】
【特許文献１】特開２０１２−２１３５７９号公報
【考案の概要】
【考案が解決しようとする課題】
【０００４】本考案は、認知症等の人や、小さい子供に対しても簡単に出来るゲームを目的としている。
【課題を解決するための手段】
【０００５】上記目的を達成するために、本考案は［請求項１］を作成し、ゲームを行う事。
【考案の効果】
【０００６】認知症等の人には、遊びながら、脳に適度な刺激を与える事が出来る。また、小さな子供には言葉の遊びとして楽しめながら学習が出来る。
【図面の簡単な説明】
【０００７】
【図１】［請求項１］の形態図である。
【考案を実施するための形態】
【０００８】ルールは麻雀と同じように、４人が卓の上の牌をかき混ぜ、牌を裏返しにして２段の山を作って、そこから１４枚ないし１３枚の牌を取り（麻雀ルールと同じ方式）言葉を作って行くゲーム。言葉は全て名詞のみで、二文字以上の言葉。全ての字は小文字としても使える。
【実施例】
【０００９】配牌までは全て麻雀ルールと同じにし、ドラ牌も捲る。ドラは現物とする。最初の人は１４枚の中で言葉を作る（最小二文字）そして、いらない牌を捨てる。次の人はその牌がほしければ《鳴く》と言ってもらう事が出来る。そして、その人はその牌を入れて自分の卓の右端に牌を出し、１枚捨てる。《鳴く》必要がなければ山から牌を取って来て不用牌を捨てる。それを順に行い、言葉が揃った人が《上がり》と言い、その人が勝ちになる。誰かが捨てた牌で《上がり》になれば、捨てた人から点棒を一本もらう。自分で積もって《上がり》の時は皆から点棒一本をもらう事が出来る。そして、《鳴く》がなく《上がり》になった時はドラがあれば点棒がプラスされる。親の利点はなく、順番どおり二回りして終わりになり点棒の数で勝敗を決める。（点棒は何でも良い）
例（ひこうき、めいし、しまうま、とん）ここに、ふ、という字が出て、ふとん、になり《上がり》になる。
【産業上の利用可能性】
【００１０】介護施設、幼稚園等で利用される。
【符号の説明】
【００１１】１  （あ）から（ん）までのひらがなを刻印した４５文字の牌
２  濁点を刻印した牌
３  半濁点を刻印した牌
４  伸ばす記号を刻印した牌
【図１】
0003196588.tif 000003
【手続補正書】
【提出日】平成27年1月6日(2015.1.6)
【手続補正１】
【補正対象書類名】実用新案登録請求の範囲
【補正対象項目名】全文
【補正方法】変更
【補正の内容】
【実用新案登録請求の範囲】
【請求項１】
（１）  あいうえお、かきくけこ、さしすせそ、たちつてと、なにぬねの、はひふへほ、        まみむめも、やゆよ、らりるれろ、わ、ん、まで４５枚のひらがな字、
（２）  ゛（濁点）゜（半濁点）−（伸ばす記号）の３枚の記号、
（３）  以上の合計４８種類のひらがな字と記号を、麻雀牌と同じ素材・器具を使い牌の        白い部分に刻印し、この牌を各３枚ずつ、合計１４４枚の牌を作成し、それらの        組み合わせにより言葉を作り、ゲームをする感覚で楽しみながら出来ることを特        徴とするひらがな言葉学習用玩具。
(57)【要約】      （修正有）【課題】磁気治療用の磁気封入アルミ盤を、内部ポケットに受け入れる下着を提供する。【解決手段】上方に幅狭の面ファスナ雄雌２、３を縫製して下方に縦中央で二分割縫製の袋部を構成して成る内ポケット６を、下着シャツの裏面で且つ心臓の上面・膵臓の上面・肝臓の上面の３ヶ所、又は下着パンツの裏面で且つ上部周縁身頃の左右側面２ヶ所及び背面中央の１ヶ所の３ヶ所に縫製し、内ポケットに磁気封入アルミ盤１２を収納する。【選択図】図４
0003196583.tif 000002
【実用新案登録請求の範囲】
【請求項１】
上方に幅狭の面ファスナ雄雌を縫製し、下方に袋部を縦中央で二分割縫製して左右二部屋とするも、下着シャツ及び下着パンツの裏面にミシンで縫い付けてなる内ポケット内蔵下着。
【請求項２】
下着シャツの裏面で且つ心臓の上面・膵臓の上面・肝臓の上面の３ヶ所及び下着パンツの上部周縁▲身頃▼の左右側面２ヶ所及び背面中央１ヶ所の３ヶ所に内ポケットを有する内ポケット内蔵下着。
【考案の詳細な説明】
【技術分野】
【０００１】磁気封入アルミ盤を、内部ポケットに受け入れる下着に関する。
【背景技術】
【０００２】磁気に依る健康サポートを目的とするに磁気治療器を利用する。【０００３】これは、足裏または背中・肩及び痛い処を直接に当てて使用していた。
【考案の概要】
【考案が解決しようとする課題】
【０００４】シャツ・パンツの下着に考案の内ポケットを設け、磁気封入アルミ盤を受納する。【０００５】内ポケットは予め縫製固着ゆえに受納が容易でありかつ安全である。【０００６】これは受納した磁気封入アルミ盤の内部移動及び外部落下を止める事を目的とする。尚、その場所は、下着パンツ裏側▲身頃▼上部端の左右。下着シャツの裏側で心臓の上面位置。下着下端より２５ｃｍ位上方で左右対称位置。【０００７】磁気封入アルミ盤の取り出し及び挿入に於いて面ファスナーを大きく開閉できる。【０００８】下着パンツの上部周縁▲身頃▼に於いて肌触りの感触を妨げないで構成する。【０００９】磁気に依る健康管理を得ようとする発明の相方下着である。
【課題を解決するための手段】
【００１０】下着シャツに付いて説明すれば、体型により異なるが、人体心臓上面位置。人体の脾臓・腎臓・膵臓の上面位置。肝臓の上面位置。これは、折り畳み状態端より約５ｃｍ中寄りである。この場所に内ポケットを設けてなる。【００１１】下着パンツの上部周縁▲身頃▼の左右側面及び背骨の位置裏面に内ポケットを設ける。これは折り畳み状態端の最短位置、及びパンツ背面の芯の裏面に内ポケットを設けてなる。【００１２】本考案内ポケットを説明すれば、幅７０ＭＭ縦５０ＭＭの袋体である。これは、上方に面ファスナ−（幅狭１２ＭＭ・雄雌）で縫製構成し、袋部を縦中央で二分割縫製し、左右二部屋とする。且つミシンにて下着パンツ・下着シャツに縫い上げて成る。【００１３】これは、下着シャツ３ヶ所下着パンツ３ヶ所で構成した事を特徴とする。
【考案の効果】
【００１４】上述の様に本考案内ポケット内蔵下着は構成されているので、関係する磁気封入アルミ盤（幅１５ＭＭ・縦３０ＭＭ・肉厚１ＭＭ）の面ファスナーにての挿入・取り出しは面倒なく簡単である。【００１５】縫製固定ゆえの一体である故に肌触りの感触を妨げない。
【図面の簡単な説明】
【００１６】
【図１】本考案の位置を示す下着シャツ正面図。
【図２】下着パンツの背面中央を示した図。
【図３】下着パンツの位置を示す正面図。
【図４】磁気封入アルミ盤を内蔵した内ポケットの斜視図。
【図５】内部ポケットＡ−Ａ断面図。
【考案を実施するための形態】
【００１７】本体が袋となる上方に幅狭の面ファスナ１の雄２雌３をを縫製４１構成し、下部袋部５を縦中央で二分割６１  ６２縫製７して、これを下着裏面にてシャツ８１パンツ８２に縫い付け９てなる。尚、面ファスナーを開放・圧着合体１０して空間を有する袋体１１を現出し、ここに磁気封入アルミ盤１２を内部納入する。
【００１８】下着シャツ１３の心臓上面位置１４及び脾臓・腎臓・膵臓の上面位置１５及び肝臓の上面位置１６に内ポケットを縫製する。
【００１９】前記内ポケットを下着パンツの上部周縁▲身頃▼１７の左１８１右１８２及び背骨の位置裏面１９に縫製してなる。
【００２０】以って下着シャツ３ヶ所及び下着パンツ３ヶ所に構成して内ポケット内蔵下着となる。
【符号の説明】
【００２１】１    面ファスナ
２    雄
３    雌
４    縫製
５    下部袋部
６１  ６２  二分割
７    縫製
８１  ８２  シャツ・パンツ
９    縫い付け
１０  圧着合体
１１  袋体
１２  磁気封入アルミ盤
１３  下着シャツ
１４  心臓上面位置
１５  膵臓上面位置
１６  肝臓上面位置
１７  上部周縁▲身頃▼
１８１  １８２  左右
１９  背骨の位置裏面
【図１】
0003196583.tif 000003
【図２】
0003196583.tif 000004
【図３】
0003196583.tif 000005
【図４】
0003196583.tif 000006
【図５】
0003196583.tif 000007
【手続補正書】
【提出日】平成26年12月17日(2014.12.17)
【手続補正１】
【補正対象書類名】実用新案登録請求の範囲
【補正対象項目名】全文
【補正方法】変更
【補正の内容】
【実用新案登録請求の範囲】
【請求項１】
上方に幅狭の面ファスナー雄雌を縫製し、下方に袋部を縦中央で二分割縫製して左右二部屋とするも、下着シャツ又は下着パンツの裏面にミシンで縫い付けてなる内ポケットを内蔵した下着。
【請求項２】
下着シャツの裏面で且つ心臓の上面・膵臓の上面・肝臓の上面の３ヶ所又は下着パンツの裏面で且つ上部周縁身頃の左右側面２ヶ所及び背面中央の１ヶ所の３ヶ所に前記内ポケットを有する請求項１記載の内ポケットを内蔵した下着。
(57)【要約】      （修正有）【課題】ウキが目視しづらい状況でも釣り人の手元の携帯情報端末によって、魚信を素早く捉えることで釣果を向上させることができる釣り用ウキ及び前記釣り用ウキを使用したシステムを提供する。【解決手段】釣りに使用するウキ９に無線ＬＡＮ通信機能を搭載し、釣り人が持つ携帯情報端末１２と無線ＬＡＮ通信を行い、ウキ９の周辺環境を釣り人の持つ携帯情報端末１２に送信し、ウキ９が目視できない状況でも、ウキ９が魚により水中に引き込まれた際に無線ＬＡＮ通信が途絶える事を利用して、その魚信を携帯情報端末１２から釣り人に知らせる。【選択図】図２
0003196585.tif 000002
【実用新案登録請求の範囲】
【請求項１】
ビデオカメラ装置（１）、マイクロプロセッサ基板（３）、無線LAN通信装置（５）を内蔵した釣り用ウキ。
【請求項２】
釣り用ウキにビデオカメラ装置（１）、マイクロプロセッサ基板（３）、無線LAN通信装置（５）を内蔵するとこで、釣り用ウキの周辺環境を釣り人の持つ携帯情報端末に伝えるシステム。
【請求項３】
釣り用ウキに無線LAN通信装置（５）を内蔵し、釣り人の持つ携帯情報端末と無線LAN通信し、ウキが海中に引き込まれることで無線LAN通信が途絶えることを利用し魚信を伝えるシステム。
【考案の詳細な説明】
【技術分野】
【０００１】
本発明は、釣りに使用するウキに無線LAN通信機能を搭載し、釣り人が持つ携帯情報端末（スマートフォン、タブレット、ノートパソコン）と無線LAN通信を行いウキ周辺の環境（水温、周辺映像）を携帯情報端末に表示すると共に、ウキが魚により水中に引き込まれた際に無線LAN通信が途絶える事を利用して、その魚信を携帯情報端末から釣り人に知らせる機能を搭載したウキに関するものである。
【背景技術】
【０００２】
ウキを使った魚釣りに於いて、釣り人はウキを目視する事で魚信を捉えているが、日中の逆光状態や、水面の光の反射、遠投することで釣り人とウキの距離が離れると目視することが困難であった。  夜間の場合はウキに発光体を仕込む手段が用いられているが、対象魚が光を嫌う魚の場合、光量を抑える必要があった。  また、ウキ投入直後の海面付近のエサ取り魚（対象外魚）にエサをとられた場合、道糸とウキが弛んでいるためウキに魚信をだすことが困難であった。  エサを取られているのに釣り続けることになり、時間を無駄に消費することになっていた。
【先行技術文献】
【特許文献】
【０００３】
【特許文献１】特許公開2008-5758号
【考案の概要】
【考案が解決しようとする課題】
【０００４】
以下のようなウキが目視しづらい状況でも魚信を素早く捉えることで釣果を向上させる。
（イ）、日中の逆光状態、水面の光の反射によるウキが目視しづらい状況。
（ロ）、遠投することで釣り人とウキの距離が離れ目視しづらい状況。
（ハ）、夜間、対象魚が光を嫌う魚で光量を抑えた場合。
以下のようなウキに魚信がでない場合でも無駄な時間を省き釣果を向上させる。
（ニ）、投入直後のウキと道糸が弛んだ状態でエサ取り魚にエサを取られた場合。
（ホ）、投入後、仕掛けがウキに絡んでいる場合。
【課題を解決するための手段】
【０００５】
ウキ内部に図１の装置を搭載し、釣り人の持つ携帯情報端末と無線LAN通信を行う。  ウキが魚により水中に引き込まれた際、無線LAN通信が途絶えるのを利用し、釣り人の持つ携帯情報端末から魚信を伝える。  ウキの水面下の映像を携帯情報端末に送信し、エサ取り魚の状態や、仕掛けの入り方などを観察できる。
【考案の効果】
【０００６】
本発明を使用する事によって、ウキが目視しづらい状況でも釣り人の手元の携帯情報端末によって、魚信を素早く捉えることで釣果を向上させることができる。  またウキに取り付けた温度センサー、ビデオカメラにより、ウキ直下水温、水中画像を携帯情報端末にて確認することにより、ウキ周辺の状況を把握でき、エサ取り魚にエサを取られた場合や仕掛けが絡んでいる場合などの無駄な時間の消費を防ぎ、釣果を向上させることができる。
【図面の簡単な説明】
【０００７】
【図１】ウキの内部構造図  １：ビデオカメラ装置、２：温度センサー、３：マイクロプロセッサ基板、４：メモリーカード（SDカード）、５：無線LAN通信装置、６：電池、７：発光LED素子
【図２】構成図  ８：水中映像撮影、９：通信機能搭載ウキ、１０：無線LAN通信、１１：釣り竿、１２：携帯情報端末（スマートフォン、タブレット、ノートパソコン）
【考案を実施するための形態】
【０００８】
釣りの仕掛けに本装置のウキをセットし、携帯情報端末の専用アプリケーションを起動し、無線LAN通信を開始し仕掛けを投入する。
【実施例】
【０００９】
図２に本発明装置の実施例の構成図を記す。
【符号の説明】
【００１０】
１：ビデオカメラ装置、２：温度センサー、３：マイクロプロセッサ基板、４：メモリーカード（SDカード）、５：無線LAN通信装置、６：電池、７：発行LED素子、８：水中映像撮影、９：通信機能搭載ウキ、１０：無線LAN通信、１１：釣り竿、１２：携帯情報端末（スマートフォン、タブレット、ノートパソコン）
【図１】
0003196585.tif 000003
【図２】
0003196585.tif 000004
(57)【要約】      （修正有）【課題】衝撃吸収層を有する強化ガラスカバー液晶画面やスマートフォンおよびタブレット、音楽プレイヤーにおいてキズ防止に有効であると共に、外部からの衝撃を受けても、保護する対象の液晶画面の破損を防ぐだけでなく、外側のガラス破損を防ぐ効果を持ち、外部の強化ガラスによって保護する対象である液晶画面のキズを防止する効果を持つ強化ガラスカバーを提供する。【解決手段】強化ガラス１と粘着層３の間に衝撃吸収層２を貼り合わせる事で保護する対象となる液晶画面の破損をより一層防ぐことができる。【選択図】図１
0003196581.tif 000002
【実用新案登録請求の範囲】
【請求項１】
強化ガラスに衝撃吸収層と粘着層を貼り合わせた衝撃吸収層を有する強化ガラスカバー
【請求項２】
請求項１と化学強化したガラスとウレタン製を用いた衝撃吸収層とシリコン製の粘着層を有した強化ガラスカバー
【考案の詳細な説明】
【技術分野】
【０００１】      本考案は、衝撃吸収層を有する強化ガラスカバー液晶画面やスマートフォンおよびタブレット、音楽プレイヤーにおいてキズ防止に有効であると共に、外部からの衝撃を受けても、保護する対象の液晶画面の破損を防ぐだけでなく、外側のガラス破損を防ぐ効果を持ち、外部の強化ガラスによって保護する対象である液晶画面のキズを防止する効果を持つ。
【背景技術】
【０００２】      従来、液晶画面を保護するためにフィルムを液晶画面にはり画面のキズや汚れを防止していた。【０００３】      フィルムでは、カバンの出し入れ衣類のポケットの出し入れでフィルムの端に汚れが入る等の理由で気泡が入り、はがれる。そこで強化ガラスに粘着層を貼り付けた強化ガラスカバーが開発された。【０００４】      ところが、強化ガラスカバーは少しの衝撃で割れてしまうという課題があった。
【先行技術文献】
【特許文献】
【０００５】
【特許文献１】特許出願第２０１３−１０７３８４
【考案の概要】
【考案が解決しようとする課題】
【０００６】従来の強化ガラスカバーは、少しの衝撃で液晶画面が割れてしまう
【課題を解決するための手段】
【０００７】強化ガラスと粘着層の間に衝撃を吸収する層を設ける
【考案の効果】
【０００８】本考案により、守るべき対象の液晶画面をより一層守る事ができる。
【図面の簡単な説明】
【０００９】
【図１】は本考案のフィルムの形状を示した図である。
【考案を実施するための形態】
【００１０】      本考案は、液晶画面の保護を目的とする。カバーだけではなく、スマートフォンおよびタブレット、音楽プレイヤー等の背面、側面に貼り付けキズや汚れを防止することができる。
【００１１】      本考案の衝撃吸収強化ガラスに覗き見防止の機能や、ブルーライトカット機能、反射防止機能、汚れ防止、抗菌機能を付属させることができる。
【００１２】    本考案の衝撃吸収強化ガラスに印刷をすることで、キャラクターやデザインを付与した商品にすることができる。
【符号の説明】
【００１３】  １  強化ガラス
２  衝撃吸収層
３  粘着層
４  保護する対象
【図１】
0003196581.tif 000003
【手続補正書】
【提出日】平成26年10月3日(2014.10.3)
【手続補正１】
【補正対象書類名】実用新案登録請求の範囲
【補正対象項目名】全文
【補正方法】変更
【補正の内容】
【実用新案登録請求の範囲】
【請求項１】
図１で示した（１）強化ガラスと図１の（３）粘着層の間に図１の（２）衝撃吸収層を有する強化ガラスカバー
【請求項２】
請求項１に記載の衝撃吸収層を有する強化ガラスカバーであって図１の（１）化学強化した強化ガラスに図１の（３）シリコン製の粘着層の間に図１の（２）ウレタン製の衝撃吸収層を有した強化ガラスカバー
【手続補正書】
【提出日】平成27年1月20日(2015.1.20)
【手続補正１】
【補正対象書類名】実用新案登録請求の範囲
【補正対象項目名】全文
【補正方法】変更
【補正の内容】
【実用新案登録請求の範囲】
【請求項１】
強化ガラス（１）と粘着層（３）の間に衝撃吸収層（２）を有する強化ガラスカバー。
【請求項２】
請求項１に記載の衝撃吸収層を有する強化ガラスカバーであって、化学強化した強化ガラス（１）とシリコン製の粘着層（３）の間にウレタン製の衝撃吸収層（２）を有した強化ガラスカバー。
(57)【要約】      （修正有）【課題】排便の臭いが便座の外に漏れない防臭トイレを提供する。【解決手段】トイレの水を流す口の後ろに穴を設け、前記穴に管の一端を接続し、前記管の他端を換気扇に接続したことを特徴とし、また人体感知センサーを設け、前記人体感知センサーの出力に基づいて前記換気扇を稼働させる。【選択図】図１
0003196510.tif 000002
【実用新案登録請求の範囲】
【請求項１】
トイレの水流す口の後ろに穴を設ける。
【請求項２】
人体感知センサ−スイッチを利用する。
【考案の詳細な説明】
【技術分野】
【０００１】本発案は大便の臭いが便座の外に漏れることがない、防臭トイレである。【０００２】人体感知センサ−で換気扇を回すためエコである。
【背景技術】
【０００３】従来、トイレの嫌な臭いを解消するには消臭剤と換気扇が使われていてすぐに消臭することができない。
【考案の開示】
【考案が解決しようとする課題】
【０００４】トイレを使用する人が臭いで不愉快になると換気扇の過剰稼働。
【課題を解決する手段】
【０００５】トイレの水が流れる口の後ろに穴を設け、換気扇の管につなぐ。
【０００６】換気扇が人体感知センサ−でコントロ−ルする。
【考案の効果】
【０００７】トイレの水を流す口の後ろに穴を設けて換気扇と管でつなぐことによって、臭いが便座の外に漏れることなく、換気扇の外に出される。トイレする人が快く使える。
【図面の簡単な説明】換気扇の稼働するによって，大便の匂いが便座の外へ漏れないのうちにそとへ出される。
0003196510.tif 000003
0003196510.tif 000004
0003196510.tif 000005
【手続補正書】
【提出日】平成26年11月4日(2014.11.4)
【手続補正１】
【補正対象書類名】実用新案登録請求の範囲
【補正対象項目名】全文
【補正方法】変更
【補正の内容】
【実用新案登録請求の範囲】
【請求項１】
トイレの水を流す口の後ろに穴を設け、前記穴に管の一端を接続し、前記管の他端を換気扇に接続したことを特徴とする防臭トイレ。
【請求項２】
人体感知センサーを設け、前記人体感知センサーの出力に基づいて前記換気扇を稼働させることを特徴とする請求項１に記載の防臭トイレ。
【手続補正３】
【補正対象書類名】明細書
【補正対象項目名】全文
【補正方法】変更
【補正の内容】
【考案の詳細な説明】
【技術分野】
【０００１】  本発案は大便の臭いが便座の外に漏れることなく、防臭トイレである。【０００２】  人体感知センサーで換気扇を回すためエコである。
【背景技術】
【０００３】  従来、トイレの嫌な臭いを解消するには消臭剤と換気扇を使われていて、トイレ無臭空間を作れない。
【考案の開示】
【考案が解決しようとする課題】
【０００４】  トイレを使用する人が臭いで不愉快になる、と換気扇の過剰稼働。
【課題を解決するの手段】
【０００５】  トイレの水流す口の後ろに穴を設ける、換気扇の管につなぎ。
【０００６】  換気扇が人体感知センサ−でコントロ−ルする。
【考案の効果】
【０００７】  トイレの水流す口の後ろに穴を設けて管で換気扇をつなぎことによって，臭いが便座の外に漏れることなく、屋外に出されます。
【図面の簡単な説明】
【図１】  人がトイレ室に入ったら換気扇を回し、便座内の臭いが屋外に出されます。
【図２】  水流す口の真後ろに設ける穴口５センチ出る、斜め２０度にする、直径１０センチ。
【手続補正４】
【補正対象書類名】図面
【補正対象項目名】全図
【補正方法】変更
【補正の内容】
【図１】
0003196510.tif 000006
【図２】
0003196510.tif 000007
【図３】
0003196510.tif 000008
【手続補正書】
【提出日】平成27年1月21日(2015.1.21)
【手続補正１】
【補正対象書類名】図面
【補正対象項目名】全図
【補正方法】変更
【補正の内容】
【図１】
0003196510.tif 000009
【図２】
0003196510.tif 000010
【図３】
0003196510.tif 000011
【図４】
0003196510.tif 000012
【手続補正書】
【提出日】平成27年1月21日(2015.1.21)
【手続補正１】
【補正対象書類名】明細書
【補正対象項目名】全文
【補正方法】変更
【補正の内容】
【考案の詳細な説明】
【技術分野】
【０００１】本発案は大便の臭いが便座の外に漏れることなく、防臭トイレである。【０００２】人体感知センサーで換気扇を回すためエコである。
【背景技術】
【０００３】従来、トイレの嫌な臭いを解消するには消臭剤と換気扇を使われていて、トイレ無臭空間を実現することができない。
【考案の開示】
【考案が解決しようとする課題】
【０００４】トイレを使用する人が臭いで不愉快になる、と換気扇の過剰稼働。
【課題を解決するの手段】
【０００５】トイレの水流す口の後ろに穴を設ける、換気扇の管につなぎ。
【０００６】換気扇が人体感知センサーでコントロールする。
【考案の効果】
【０００７】トイレの水流す口の後ろに穴を設けて管で換気扇をつなぎことによって，臭いが便座の外に漏れることなく、屋外に出されます。
【図面の簡単な説明】
【図１】人がトイレ室に入ったら換気扇を回し、便座内の臭いが屋外に出されます。
【図２】水流す口の真後ろに設ける穴が斜めに、直径６センチ。穴の外に５センチの突き出る筒を設ける。トイレの全長７０ｃｍ、高さ４０ｃｍ（タンク除く）便座最大幅３５ｃｍ（楕円状）。便座の面から汚物出口まで高さ２８ｃｍ。水流す口の直径６ｃｍふちの上に設置する、後ろから見れば便座の上面に２センチをあけて左右の真ん中に６センチの穴を設け５センチの突き出る筒を設け。
【図３】便座の上から見ると、水を流すふち設置している、水流す口前のふち、幅３ｃｍ、ふちの先端の幅２ｃｍ
【図４】前から見る横の断面図、水を流すふちから便座面までの高さ１２ｃｍ。
(57)【要約】      （修正有）【課題】屏風内にＬＥＤライト付きのアクリル、ガラスなどの板に、写真、絵画、文字、模型、貨幣紙幣、刺繍、衣類、押花等を取り付け、これらの展示物を鮮明にするＬＥＤライト付き屏風を提供する。【解決手段】飾り縁７と、飾り縁７の背面に設けられた表紙８と、表紙８の背面に設けられた本体９と縁１０とからなる屏風内に、写真、絵画、刺繍、模型、貨幣紙幣、衣類、文字、押し花とかなる装飾品２と、前記装飾品２とＬＥＤ４とが取り付けたアクリル板１又はガラス板とを備えた。【選択図】図２
0003196509.tif 000002
【実用新案登録請求の範囲】
【請求項１】
屏風の中に、アクリル板又はガラス板を取り付け、その板が光るように、ＬＥＤ（Ｌｉｇｈｔ  Ｅｍｉｔｔｉｎｇ  Ｄｉｏｄｅ）ライトを取り付ける。ライト付きのアクリル板又はガラス板に写真、絵画、刺繍、模型、貨幣紙幣、衣類（着物、帯等）、文字、押し花等を取り付け、展示物を鮮明にする屏風。
【考案の詳細な説明】
【技術分野】
【０００１】本考案は、壁掛け又は床置きＬＥＤライト付き屏風で、屏風内にＬＥＤライト付きのアクリル、ガラスなどの板に、写真、絵画、文字、模型、貨幣紙幣、刺繍、衣類（着物、帯等）、押花等を取り付け、これらの展示物を鮮明にするＬＥＤライト付き屏風である。
【背景技術】
【０００２】ＬＥＤライト付きのアクリル板、ガラス板などを屏風内に取り付け、その板上に、写真、絵画、写真、文字、刺繍、模型、貨幣紙幣、衣類（着物、帯等）、押し花等を取り付ける。
【考案の概要】
【０００３】ＬＥＤライト付きのアクリル板、ガラス板などに、写真、絵画、文字、刺繍、模型、貨幣紙幣、衣類（着物、帯等）、押し花等を取り付ける。取り付けた物を鮮明に見える様にする。
【考案が解決しようとする課題】
【０００４】屏風内にＬＥＤライト付きアクリル、ガラス板を取り付け、装飾品をライトで、より鮮明に見える様にする。
【課題を解決する為の手段】
【０００５】本考案は、屏風の中にＬＥＤライト付きアクリル、ガラス板を取り付ける。
【考案の効果】
【０００６】本考案のＬＥＤライト付きのアクイル、ガラス板付き箱屏風は、絵画、写真、文字、刺繍、模型、貨幣紙幣、衣類（着物、帯等）、押し花等の屏風の中に入れた物がより鮮明に見える。
【考案を実施するための形態】
ＬＥＤライト付きアクリル、ガラス版を屏風の中に取り付ける。
【実施例】
【０００７】添付図面に従って実施例を説明する。１はアクリル板（展示物抑え）、２は展示物（写真）、３はＬＥＤライト装置（アクリル照明板を照明）、４はＬＥＤライト、５は電源、６はアクリル照明板、７は飾り縁、８は表紙、９は本体、１０は縁（枠）。
【図面の簡単な説明】
【０００８】
【図１】本考案のＬＥＤアクリル板又は、ガラス板付き屏風の実施例を示す全体面図である。
【図２】本考案のＬＥＤライト付きアクリル板又は、ガラス板の屏風一枚の詳細面図である。
【符号の説明】  １    アクリル板（展示物抑え）
２    展示物（写真等）
３    ＬＥＤ装置（アクリル照明板を照明）
４    ＬＥＤライト
５    電源
６    アクリル照明板
７    飾り緑
８    表紙
９    本体
１０  縁（枠）
【図１】
0003196509.tif 000003
【図２】
0003196509.tif 000004
【手続補正書】
【提出日】平成26年10月24日(2014.10.24)
【手続補正１】
【補正対象書類名】実用新案登録請求の範囲
【補正対象項目名】全文
【補正方法】変更
【補正の内容】
【実用新案登録請求の範囲】
【請求項１】
一般的な骨構造の屏風又は発泡スチロール構造の屏風の中に、屏風の中にいれる展示物を保護と鮮明にする為に、展示物にアクリル板又はガラス板を取り付け、その板が光るようにＬＥＤ（Ｌｉｇｈｔ  Ｅｍｉｔｔｉｎｇ  Ｄｉｏｄｅ）ライトを取り付け、ライト付きのアクリル板又はガラス板の内側に写真、絵画、刺繍、模型、貨幣紙幣、衣類、文字、押し花を取り付け、これらの展示物を保護し光でより鮮明にする屏風。
【手続補正書】
【提出日】平成26年12月19日(2014.12.19)
【手続補正１】
【補正対象書類名】実用新案登録請求の範囲
【補正対象項目名】全文
【補正方法】変更
【補正の内容】
【実用新案登録請求の範囲】
【請求項１】
飾り縁と、飾り縁の背面に設けられた表紙と、表紙の背面に設けられた本体と縁とからなる屏風内に、写真、絵画、刺繍、模型、貨幣紙幣、衣類、文字、押し花とかなる装飾品と、前記装飾品とＬＥＤとが取り付けたアクリル板又はガラス板とを備えた屏風。
(57)【要約】      （修正有）【課題】北寄貝から身を取り出す事が簡単にできるよう、洋食用ナイフに丸みをつけ左右の貝殻から貝柱ごと身を外す事が出来るナイフを提供する。【解決手段】丸みをおびた貝殻にフイットするよう洋食用ナイフに丸みをつけ、両刃にすることで左右の貝殻から貝柱ごと外せるよう工夫した。刃の部分は貝柱が切り離せる程度の切れ味でよい。包丁のように切れ味が良すぎる危険な刃は怪我をする可能性があるので鋭利な刃の状態には加工しない。【選択図】図２
0003196507.tif 000002
【実用新案登録請求の範囲】
【請求項１】
北寄貝から身を取り出す作業において、北寄貝は丸みをおびた貝の為、北寄貝の貝殻の内側にナイフの刃がフイットするよう、洋食用ナイフに丸みをつけ、左右の貝殻から貝柱ごと身をきれいに取り出す事が出来るよう両刃に加工したことを特徴とするナイフ。
【考案の詳細な説明】
【技術分野】
【０００１】  本考案は北寄貝から身を取り出す事が簡単にできるよう、洋食用ナイフに丸みをつけ左右の貝殻から貝柱ごと外す事が出来るよう両刃にすることで、身を崩さずに取り出すことが可能な北寄貝専用のナイフに関する。
【背景技術】
【０００２】  生きた北寄貝から身を取り出すには普通、洋食用ナイフを使うが、慣れない人はナイフがまっすぐ北寄貝の身に刺さり、身を崩してしまうので、丸みをおびた貝殻にフイットするよう洋食用ナイフに丸みをつけ、左右の貝殻から貝柱ごと外せるよう両刃に加工した。
【考案が解決しようとする課題】
【０００３】  本考案は北寄貝から身を取り出す事が簡単にできるよう、洋食用ナイフに丸みをつけ左右の貝殻から貝柱ごと外す事が出来るよう両刃にすることで、身を崩さずに取り出すことが可能な北寄貝専用のナイフを提供する。
【課題を解決するための手段】
【０００４】  本考案は上記の課題を解決する為に、ステンレス製の洋食用ナイフをガスバーナーで赤熱し、北寄貝の丸みにフィットするようきれいに曲げ、赤熱によって表面が酸化して光沢が失われた部分をサンドペーパーで丹念に磨いて元の光沢に近い状態に仕上げた。さらに片刃では左右の貝殻に付いている貝柱を切り離すことが出来ない為、両刃になるように加工した。慣れていない人でもきれいに身を取り出す事が期待出来、前記課題を解決する。
【考案の効果】
【０００５】  通常生きた北寄貝から身を取り出すには普通、洋食用ナイフを使うが、北寄貝の水管部分の隙間に通常の洋食用ナイフを入れると洋食用ナイフがまっすぐ身に刺さり、北寄貝の身を崩してしまうので、丸みをおびた貝殻にフイットするよう洋食用ナイフに丸みをつけ、両刃にすることで左右の貝殻から貝柱ごと外せるよう工夫した。この「北寄開〜北寄貝専用ナイフ〜」を利用することで簡単に北寄貝から身を取り出す事が出来、なおかつ売られているむき身より、北寄貝の新鮮さが保持できるので、本考案は期待できる。
【考案を実施するための最良の形態】
【０００６】以下本考案の形態を示す図面に基づき説明する。【０００７】図１に示す如く、北寄貝の水管の隙間にナイフを入れた状態の断面図。【０００８】図２に示す如く、考案の「北寄開〜北寄貝専用ナイフ〜」の加工状態図
【図面の簡単な説明】
【０００９】
【図１】北寄貝の水管の隙間１に「北寄開〜北寄貝専用ナイフ〜」２を入れ片側の貝殻に付いている貝柱３を切り離す。一か所切り離すと少し貝の隙間が広がるので、ナイフの向きを変えて同じ貝柱３の片側の貝殻に付いている貝柱を切り離す。これで一つ目の貝柱３が切り離す事が出来たので、同様に二つ目の貝柱４も切り離す。
【００１０】
【図２】上記「北寄開〜北寄貝専用ナイフ〜」において怪我の危険性を考慮し、刃の部分は貝柱が切り離せる程度の切れ味でよい。包丁のように切れ味が良すぎる危険な刃は怪我をする可能性があるので鋭利な刃の状態には加工しない。
【符号の説明】
【００１１】１  北寄貝の水管の部分の隙間
２  考案の「北寄開〜北寄貝専用ナイフ〜」
３  貝柱
４  貝柱
【図１】
0003196507.tif 000003
【図２】
0003196507.tif 000004
(57)【要約】      （修正有）【課題】工業用ベルトスリングへの油の染みこみを防止できると共に、織りテープの夜間の視認を可能とする撥油性織りテープを提供する。【解決手段】織りテープ本体１及び蛍光層２を含み、蛍光層が織りテープ本体の外部にスプレーコーティングされ、織りテープ本体が糸を織って作られ、糸の表面にクラリアント撥水撥油仕上げ剤からなる撥油性コーティング層が設けられ、織りテープ本体は筒状構造であり、蛍光層は織りテープ本体の長さ方向に沿って帯状構造となっている。【選択図】図１
0003196566.tif 000002
【実用新案登録請求の範囲】
【請求項１】
織りテープ本体及び蛍光層を含み、
前記蛍光層が前記織りテープ本体の外部にスプレーコーティングされ、
前記織りテープ本体が糸を織って作られ、
前記糸の表面に撥油性コーティング層が設けられ、
前記撥油性コーティング層がクラリアント撥水撥油仕上げ剤であり、
前記織りテープ本体が筒状構造であり、
前記蛍光層が前記織りテープ本体の長さ方向に沿って帯状構造となることを特徴とする撥油性織りテープ。
【考案の詳細な説明】
【技術分野】
【０００１】
本願考案は織りテープに関し、具体的には撥油性織りテープに関するものである。
【背景技術】
【０００２】
織りテープは各種の糸を原料として幅状織物や管状織物に作製され、織りテープの種類が多く、服装、靴材、バッグ、工業、農業、軍需や交通運輸などに幅広く用いられており、その性能は優れている。
【０００３】
工業用ベルトスリングはほとんど油と水の環境に使用され、一定の期間に亘って使用されると非常に汚くなる。ベルトスリングは、油が染みこむと表面がつるつるして使用に悪影響を及ぼし、汚れるため廃棄される場合がある。
【０００４】
織りテープは夜間使用時に視認できないので、視認するための光源が必要となる。
【考案の概要】
【考案が解決しようとする課題】
【０００５】
上記技術的な問題を解決するために、本願考案の発明者らは、撥油性織りテープを提案し、工業用ベルトスリングの撥油できない問題や夜間使用時に視認できない問題を解決した。
【課題を解決するための手段】
【０００６】
上記目的を達成するための、本願考案の技術案は以下の通りである。
【０００７】
本願考案の撥油性織りテープは、織りテープ本体及び蛍光層を含み、前記蛍光層が前記織りテープ本体の外部にスプレーコーティングされ、前記織りテープ本体が糸を織って作られ、前記糸の表面に撥油性コーティング層が設けられ、前記撥油性コーティング層がクラリアント撥水撥油仕上げ剤であり、前記織りテープ本体が筒状構造であり、前記蛍光層が前記織りテープ本体の長さ方向に沿って帯状構造となる。
【０００８】
上記技術案によれば、本願考案で提出された撥油性織りテープは、糸の表面にクラリアント（Clariant）撥水撥油仕上げ剤を設けることにより、ベルトスリングの撥油できない問題を解決し、織りテープ本体の外部に蛍光層がスプレーコーティングされることにより、織りテープの夜間に視認できない問題を解決した。
【０００９】
本願考案の実施例または従来の技術案を更に詳細に説明するために、以下には実施例または従来技術の記述中に必要として使用された図面について簡単に説明する。明らかなのは、以下のような図面は本願考案のいくつかの実施例のみである。当業者にとっていえば、創造力を発揮しない前提でこれらの図面によって他の図面を得ることができる。
【図面の簡単な説明】
【００１０】
【図１】模式的に本願考案の実施例に係る撥油性織りテープの横断面を示す図である。
【図２】模式的に本願考案の実施例に係る撥油性織りテープの糸の横断面を示す図である。
【考案を実施するための形態】
【００１１】
以下、本願考案の実施例の図面に基づき、本願考案の実施例の技術案について明瞭かつ完全に説明する。明らかなのは、下記実施例は本願考案の一部実施例のみで、すべての実施例ではない。本願考案の実施例に基づき、当業者は、創造力を発揮しない前提で獲得した他の実施例のすべてが、本願考案の保護の範囲に属する。
【００１２】
以下、実施例と具体的な実施態様とを結合して本願考案をさらに詳しく説明する。
【００１３】
実施例
図１〜２に示すように、撥油性織りテープは、織りテープ本体１と蛍光層２を含み、蛍光層２が織りテープ本体１の外部にスプレーコーティングされ、蛍光層２が織りテープ本体１の長さ方向に沿って帯状構造となり、蛍光層２が蛍光粉コーティング層であり、織りテープ本体１が筒状構造であり、織りテープ本体１が糸３を織って作られ、糸３の表面に撥油性コーティング層４が設けられ、撥油性コーティング層４がクラリアント（Clariant）撥水撥油仕上げ剤である。
【００１４】
上記技術案によれば、本願考案で提出された撥油性織りテープは、糸の表面にクラリアント（Clariant）撥水撥油仕上げ剤を設けることにより、ベルトスリングの撥油できない問題を解決し、織りテープ本体の外部に蛍光層がスプレーコーティングされることにより、織りテープの夜間に視認できない問題を解決した。
【００１５】
本願考案の撥油性織りテープは、上述した実施形態に限定されるものではなく、この考案の要旨を逸脱しない範囲内で様々な変更例や修正例が可能である。これらの変更例や修正例も本願考案の保護範囲に属する。
【符号の説明】
【００１６】
１  織りテープ本体
２  蛍光層
３  糸
４  撥油性コーティング層
【図１】
0003196566.tif 000003
【図２】
0003196566.tif 000004
(57)【要約】      （修正有）【課題】水中において最良の水力を得ることが出来る水中水車発電機を提供する。【解決手段】水車３のベルト２、６に折りたたみの出来る羽根４と羽根止め具５を取り付ける。【選択図】図１
0003196035.tif 000002
【実用新案登録請求の範囲】
【請求項１】
二つの水車にベルトを取り付け、そのベルトに折りたたみの出来る羽根を取り付けた発電機。
【考案の詳細な説明】
【考案の概要】
【考案が解決しようとする課題】
【０００１】  水中において水車発電機である。【０００２】  水車が水中で羽根を折りたためる。【０００３】  河川で増水、減水したときも発電することが出来る。
【考案を実施するための形態】
【０００４】  以下、本案の実施例について説明する、図１にもとずいて二つの水車にベルトを取りつけ、そのベルトに蝶つがいにより折りたたみの出来る羽根を取り付ける、水流により上部のベルトの羽根は折りたたみ，下部の羽根は羽根止め具により折りたたまなくする、又水車と発電機をベルトで伝道する。
【図面の簡単な説明】
【０００５】
【図１】  発電機の側面図
【図２】  発電機の正面図
【符号の説明】
【０００６】  １  発電機      ２  ベルト１      ３  水車      ４  羽根
５  羽根
止め具      ６  ベルト２
【図１】
0003196035.tif 000003
【図２】
0003196035.tif 000004